(57)【要約】【課題】ユーザが瞬間的に電源スイッチのオフ／オンを行っても装置の誤動作を防ぎ、適切に装置の再起動を行うことである。【解決手段】交流電源からの電力供給を電源スイッチによってオン／オフする電子機器の制御を次のように実行する。即ち、交流電源からの交流電圧のゼロクロスを検知し、電源スイッチのオフを検知し、その電源スイッチのオンを検知する。そして、以上３つの検知それぞれの結果に基いて、交流電源に瞬断が発生したか、又は、ユーザによる電源スイッチのオフ／オンの操作であるのかを判断し、その判断の結果に従って、前記電子機器の再起動を行う。【選択図】  図５
2016024609.tif 000002
【特許請求の範囲】
【請求項１】
交流電源からの電力によって動作する電子機器であって、
前記交流電源からの電力供給をオン／オフする電源スイッチと、
前記交流電源からの交流電圧のゼロクロスを検知する第１の検知手段と、
前記電源スイッチのオフを検知する第２の検知手段と、
前記電源スイッチのオンを検知する第３の検知手段と、
前記第１の検知手段による検知の結果と、前記第２の検知手段による検知の結果と、前記第３の検知手段による検知の結果とに基いて、前記交流電源に瞬断が発生したか、又は、ユーザによる前記電源スイッチのオフ／オンの操作であるのかを判断する判断手段と、
前記判断手段による判断の結果に従って、前記電子機器の再起動を行う再起動手段とを有することを特徴とする電子機器。
【請求項２】
前記第２の検知手段と前記第３の検知手段とは、静電センサであることを特徴とする請求項１に記載の電子機器。
【請求項３】
前記第２の検知手段は、静電センサであり、
前記第３の検知手段は、前記交流電源からの交流電圧を監視する回路であることを特徴とする請求項１に記載の電子機器。
【請求項４】
前記判断手段は、前記第１の検知手段により前記交流電源からの交流電圧のゼロクロスが検知されず、かつ、前記第２の検知手段により前記電源スイッチのオフが検知されない場合は、前記交流電源に瞬断が発生したと判断することを特徴とする請求項１乃至３のいずれか１項に記載の電子機器。
【請求項５】
前記判断手段は、前記第１の検知手段により前記交流電源からの交流電圧のゼロクロスが検知されず、かつ、前記第２の検知手段により前記電源スイッチのオフが検知され、かつ、該検知の後、予め定められた期間の間に前記第３の検知手段により前記電源スイッチのオンが検知されない場合は、前記ユーザが前記電源スイッチのオフの操作を行ったと判断することを特徴とする請求項１乃至３のいずれか１項に記載の電子機器。
【請求項６】
前記判断手段は、前記第１の検知手段により前記交流電源からの交流電圧のゼロクロスが検知されず、かつ、前記第２の検知手段により前記電源スイッチのオフが検知され、かつ、該検知の後、予め定められた期間の間に前記第３の検知手段により前記電源スイッチのオンが検知された場合は、前記ユーザが前記電源スイッチのオフ／オンの操作を行ったと判断することを特徴とする請求項１乃至３のいずれか１項に記載の電子機器。
【請求項７】
前記再起動手段は、前記ユーザの前記電源スイッチのオフ／オンの操作に従って、前記電子機器の再起動を行うことを特徴とする請求項６に記載の電子機器。
【請求項８】
前記瞬断に対応するためバックアップ電源をさらに有することを特徴とする請求項１乃至７のいずれか１項に記載の電子機器。
【請求項９】
請求項１乃至８のいずれか１項に記載の電子機器と、
前記交流電源からの電力供給によって動作し、入力された画像データに従って、記録媒体に画像を形成する画像形成手段とを有することを特徴とする画像形成装置。
【請求項１０】
前記画像形成手段は、電子写真方式に従って、前記記録媒体にトナー像を形成することを特徴とする請求項９に記載の画像形成装置。
【請求項１１】
請求項９又は１０に記載の画像形成装置と、
画像原稿から画像を読み取る読み取り手段とを有することを特徴とする多機能プリンタ装置。
【請求項１２】
交流電源からの電力供給を電源スイッチによってオン／オフする電子機器の制御方法であって、
前記交流電源からの交流電圧のゼロクロスを検知する第１の検知工程と、
前記電源スイッチのオフを検知する第２の検知工程と、
前記電源スイッチのオンを検知する第３の検知工程と、
前記第１の検知工程における検知の結果と、前記第２の検知工程における検知の結果と、前記第３の検知工程における検知の結果とに基いて、前記交流電源に瞬断が発生したか、又は、ユーザによる前記電源スイッチのオフ／オンの操作であるのかを判断する判断工程と、
前記判断工程における判断の結果に従って、前記電子機器の再起動を行う再起動工程とを有することを特徴とする制御方法。
【発明の詳細な説明】
【技術分野】
【０００１】
本発明は電子機器、画像形成装置、多機能プリンタ装置、及び電子機器の制御方法に関し、特に、例えば、電子写真方式に従って画像を形成する、例えば、複写機及びプリンタ等の画像形成装置、多機能プリンタ装置、及びその制御方法に関する。
【背景技術】
【０００２】
交流電源の供給状態は各諸国の電源事情により異なり、ある国においては不規則に瞬断が発生することもある。そのため、交流電源によって動作する、例えば、画像形成装置のような電子機器は、ユーザが電源スイッチをＯＦＦしていないにも関わらず、供給電力が低下し、その電子機器の動作が停止したり、不安定になってしまう問題がある。
【０００３】
この問題に対処するため、近年の画像形成装置は、たとえ瞬断がある程度の期間は発生しても、装置が引き続き動作できるように電力を蓄える蓄電手段が提案されている。
【先行技術文献】
【特許文献】
【０００４】
【特許文献１】特開２００８−１７６２８８号公報
【発明の概要】
【発明が解決しようとする課題】
【０００５】
しかしながら上記従来例では、下記のような課題があった。
【０００６】
即ち、交流電源の供給を直接ＯＮ／ＯＦＦする電源スイッチを備える装置は、瞬断により一時的に電圧が低下したことと、ユーザが瞬間的に電源スイッチをＯＦＦ／ＯＮしたことを判別することができない。従って、ユーザが瞬間的に電源スイッチのＯＦＦ／ＯＮを行った場合には、その装置を再起動させる必要があるにも関わらず、そのユーザの意図に反して瞬断時と同様に装置の動作を停止させることなく動作を続行してしまう。
【０００７】
本発明は上記従来例に鑑みてなされたもので、ユーザ操作による素早いスイッチ操作に追従し、ユーザの意図に沿った動作が可能な瞬断保護機能を備えた電子機器、画像形成装置、多機能プリンタ装置、及び電子機器の制御方法を提供することを目的としている。
【課題を解決するための手段】
【０００８】
上記目的を達成するために本発明の電子機器は次のような構成からなる。
【０００９】
即ち、交流電源からの電力によって動作する電子機器であって、前記交流電源からの電力供給をオン／オフする電源スイッチと、前記交流電源からの交流電圧のゼロクロスを検知する第１の検知手段と、前記電源スイッチのオフを検知する第２の検知手段と、前記電源スイッチのオンを検知する第３の検知手段と、前記第１の検知手段による検知の結果と、前記第２の検知手段による検知の結果と、前記第３の検知手段による検知の結果とに基いて、前記交流電源に瞬断が発生したか、又は、ユーザによる前記電源スイッチのオフ／オンの操作であるのかを判断する判断手段と、前記判断手段による判断の結果に従って、前記電子機器の再起動を行う再起動手段とを有することを特徴とする。
【００１０】
また、本発明を別の側面から見れば、上記構成の電子機器と、前記交流電源からの電力供給によって動作し、入力された画像データに従って、記録媒体に画像を形成する画像形成手段とを有することを特徴とする画像形成装置を備える。
【００１１】
さらに、本発明を別の側面から見れば、上記構成の画像形成装置と、画像原稿から画像を読み取る読み取り手段とを有することを特徴とする多機能プリンタ装置を備える。
【００１２】
またさらに、本発明を別の側面から見れば、交流電源からの電力供給を電源スイッチによってオン／オフする電子機器の制御方法であって、前記交流電源からの交流電圧のゼロクロスを検知する第１の検知工程と、前記電源スイッチのオフを検知する第２の検知工程と、前記電源スイッチのオンを検知する第３の検知工程と、前記第１の検知工程における検知の結果と、前記第２の検知工程における検知の結果と、前記第３の検知工程における検知の結果とに基いて、前記交流電源に瞬断が発生したか、又は、ユーザによる前記電源スイッチのオフ／オンの操作であるのかを判断する判断工程と、前記判断工程における判断の結果に従って、前記電子機器の再起動を行う再起動工程とを有することを特徴とする制御方法を備える。
【発明の効果】
【００１３】
従って本発明によれば、ユーザが素早い電源スイッチのオフ／オン操作をしても、適切に機器を再起動させることができるという効果がある。
【図面の簡単な説明】
【００１４】
【図１】本発明の代表的な実施例であるに画像形成装置（プリンタ装置）の構成を示す側断面図である。
【図２】図１に示す画像形成装置１００の電源回路の構成を示すブロック図である。
【図３】静電センサを備えた電源スイッチの構成を示す側断面図である。
【図４】電源スイッチのオン／オフ制御を示すフローチャートである。
【図５】電源回路の各部の信号を示すタイムチャートである。
【図６】電源回路の各部の信号を示すタイムチャートである。
【図７】電源回路の各部の信号を示すタイムチャートである。
【発明を実施するための形態】
【００１５】
以下添付図面を参照して本発明の好適な実施例について、さらに具体的かつ詳細に説明する。
【００１６】
なお、この明細書において、「記録媒体」とは、一般的な記録装置で用いられる紙のみならず、広く、布、プラスチック・フィルム、金属板、ガラス、セラミックス、木材、皮革等、トナーを受容可能なものも表すものとする。
【００１７】
図１は本発明の代表的な実施例である電子写真方式に従って記録媒体に画像を記録する画像形成装置１００の構成を示す側断面図である。
【００１８】
画像形成装置１００は記録紙のような記録媒体を収納するカセット１０１を備える。カセット１０１には、その中に記録媒体があるかどうかを検知するとともにその記録媒体のサイズを検知する検知センサ１０３が備えられている。画像形成装置１００はカセット１０１からピックアップローラ１０４により記録媒体を一枚ずつ繰り出し、その繰り出された記録媒体を搬送ローラ１０５とリードローラ１０６からなるローラ対により搬送する。リードローラ１０６は記録媒体の重送を防止するために設けられている。
【００１９】
カセット１０１より繰り出され搬送された記録媒体は搬送ローラ１０５の下流側に設けられた給紙センサ１０７により検知される。また、給紙センサ１０７は、後述する両面反転部１４０からの搬送された記録媒体も検知する。記録媒体の搬送方向に関し給紙センサ１０７の下流側にはさらに、別の搬送ローラ１０８と、記録媒体を記録タイミングと同期して搬送するためのレジストローラ１０９とが設けられている。さらに、搬送ローラ１０８とレジストローラ１０９との間の搬送路には、レジストローラ１０９への記録媒体の搬送状態を検知するレジ前センサ１１０が設けられている。
【００２０】
レジストローラ１０９のさらに下流側には、レーザスキャナ部１１１からのレーザ光に基づいて感光ドラム１上にトナー像を形成するプロセスカートリッジ１１２が設けられている。さらに、レジストローラ１０９の下流側には、感光ドラム１上に形成されたトナー像を記録媒体に転写するための転写ローラ１１３、記録媒体上の電荷を除去し感光ドラム１からの分離を促進するための除電針１１４が設けられている。
【００２１】
さらに、除電針１１４の下流側には搬送ガイド１１５、定着ヒータ１１６、排紙センサ１１９、及び両面フラッパ１２０が設けられている。定着ヒータ１１６は記録媒体に転写されたトナー像を熱定着する。排紙センサ１１９は定着ヒータ１１６から排出された記録媒体を検知する。両面フラッパ１２０は定着ヒータ１１６から排出され搬送されてきた記録媒体を排紙口１３０か両面反転部のいずれかにその搬送先を切り替える。
【００２２】
画像形成装置１００の排紙口１３０付近には記録媒体の搬送状態を検知する別の排紙センサ１２１と、記録媒体を排紙する排紙ローラ１２２が設けられている。一方、画像形成装置１００の両面反転部１４０は、反転ローラ１２３、反転センサ１２４、Ｄカットローラ１２５、両面センサ１２６、及び、搬送ローラ１２７を含む。
【００２３】
両面反転部１４０は、記録媒体の両面に記録を行うため、片面に記録が終了した記録媒体を表裏反転させ、再度、感光ドラム１や転写ローラ１１３を含む画像形成部へと給紙する。そして、反転ローラ１２３ではその回転を正転又は逆転することによって記録媒体をスイッチバックさせる。反転センサ１２４は、反転ローラ１２３への記録媒体の搬送状態を検知する。さらに、Ｄカットローラ１２５では、記録媒体の横方向位置を合わせるため横方向レジスト部（不図示）を用いて横方向に記録媒体を調整する。そして、両面センサ１２６は両面反転部１４０から記録媒体の搬送状態を検知し、搬送ローラ１２７は両面反転部１４０からカセット１０１からの搬送路へと記録媒体を搬送する。
【００２４】
また、モータ（Ｍ１）１１７やモータ（Ｍ２）１１８は各種ローラを回転させるための駆動力を与える。
【００２５】
以上略述した構成の画像形成装置１００は制御部２０７によりその全体の動作や画像形成処理が制御される。また、制御部２０７は外部装置１２８とのインタフェースを備え、外部装置１２８から画像データを受信する。外部装置１２８はパーソナルコンピュータ（ＰＣ）やデータサーバやデジタルカメラなど直接接続されるものの他に、ネットワークを介して接続された種々の機器を含む。
【００２６】
そして、このような画像形成装置１００は交流電源から電力供給を受けて動作する。
【００２７】
図２は図１に示す画像形成装置１００の電源回路の構成を示すブロック図である。
【００２８】
この図が示すように、交流電源が供給される電源プラグ２０１と電源スイッチ２０２との間には、静電センサ２０４、２０５が設けられる。また、電源スイッチ２０２の後段にはフィルタ２０８、さらにリレー回路２０９が設けられる。リレー回路２０９からの出力はヒータ２１１とゼロクロス検知回路２０３に入力される。
【００２９】
一方、論理回路２０６はゼロクロス検知回路２０３からのゼロクロス信号（ＺＥＲＯ）と静電センサ２０４からの検知信号（ＯＦＦＤＥＴ）と静電センサ２０５からの検知信号（ＯＮＤＥＴ）とを入力し、後述する再起動指令信号（ＲＥＳＴＡＲＴ）を生成する。再起動指令信号（ＲＥＳＴＡＲＴ）は制御部２０７に入力され、その信号に従って、画像形成装置１００を再起動する。また、制御部２０７はヒータドライブ回路２１０をヒータＯＮ信号（ＨＯＮ）により駆動してヒータ２１１を駆動する。さらに制御部２０７は画像形成装置１００の各部を制御して画像形成動作などを実行させる。制御部２０７の内部にはＭＰＵ、ＡＳＩＣ、ＲＯＭ、ＲＡＭなどが備えられている。
【００３０】
ヒータ２１１は、例えば、図１において説明した定着ヒータ１１６として用いられるものであり、電源スイッチ（ＳＷ）２０２から入力された交流電源が、交流（ＡＣ）のまま用いられる。一方、その交流電源は、平滑コンデンサを含む整流回路を経て直流（ＤＣ）に変換され、ＤＣ／ＤＣコンバータ（不図示）により、装置各部の電子回路にその駆動電圧を供給する。
【００３１】
なお、図２には図示していないが、画像形成装置１００には瞬断に対応するためのバックアップ電源が設けられており、瞬断発生時にはバックアップ電源からの電力供給によりある程度の時間は、装置に電力を供給可能になっている。そのバックアップ電源としては大容量のコンデンサや無停電電源（ＵＰＳ）などがある。
【００３２】
図３は電源スイッチ２０２の構成を示す側断面図である。
【００３３】
図３に示すように、電源スイッチ２０２には２つの静電センサ２０４、２０５が設けられ、電源ＯＦＦに指示する側に静電センサ２０４が、電源ＯＮを指示する側に静電センサ２０５が設けられる。この構成では、電源スイッチ２０２が電源オフ指示側がユーザにより押された場合、静電センサ２０４からハイ（Ｈ）レベルの検知信号（ＯＦＦＤＥＴ）が出力される。一方、電源オン指示側がユーザにより押された場合、静電センサ２０５からのハイ（Ｈ）レベルの検知信号（ＯＮＤＥＴ）が出力される。
【００３４】
次に、以上の構成の画像形成装置が実行する電源スイッチのオン／オフ制御について説明する。特に、以下の実施例では、ユーザが画像形成装置が動作中に電源スイッチ（ＳＷ）２０２をオフ／オンした場合と瞬断が発生した場合の動作について説明する。
【００３５】
図４は電源スイッチのオン／オフ制御を示すフローチャートである。ここでは、画像形成装置１００に交流電源を供給するために、交流（ＡＣ）電源のコンセントに画像形成装置１００の電源プラグ２０１が差し込まれているとする。
【００３６】
図５〜図６は電源回路の各部の信号を示すタイムチャートである。
【００３７】
以下、そのフローチャートとタイムチャートを参照して説明する。
【００３８】
ステップＳ１１では電源プラグ２０１をコンセントに差し込み、電源スイッチ（ＳＷ）２０２をＯＮして、画像形成装置１００を起動すると、ステップＳ１２では、装置各部に電力が供給され、装置全体が立ち上がる。
【００３９】
その後、ゼロクロス検知回路２０３は供給されるＡＣ電源のゼロクロスを検知し、その検知結果をゼロクロス信号（ＺＥＲＯ）として出力する。図５〜図６に示されるように、ＡＣ電源から正常に電力が供給されている限り、ＡＣ電源の交流電圧（ＡＣＩＮ）は一定の周期で正弦曲線のように変化する。そして、その交流電圧（ＡＣＩＮ）が０Ｖになるタイミングに同期してゼロクロスを示すパルス状のゼロクロス信号（ＺＥＲＯ）が出力される。
【００４０】
一方、瞬断が発生したり電源スイッチ（ＳＷ）２０２をＯＦＦにすると、図５〜図６に示されるように、ＡＣ電源からの電力供給が停止するので、一定の周期でのゼロクロス信号（ＺＥＲＯ）の出力はなくなる。図５〜図６では、瞬断（ｔ１）で示される期間、交流電圧（ＡＣＩＮ）がなくなり、これに対応して、ゼロクロス信号（ＺＥＲＯ）のパルスも検出されなくなることが図示されている。さらに、図５〜図６では、電源スイッチ（ＳＷ）２０２のＯＦＦを表わすＳＷ  ＯＦＦ（ｔ２）で示す期間、交流電圧（ＡＣＩＮ）がなくなり（破線で図示）、これに対応してゼロクロス信号（ＺＥＲＯ）のパルスがないこと（一点鎖線で図示）が示されている。
【００４１】
従って、ステップＳ１３では、一定の周期でのゼロクロス信号（ＺＥＲＯ）のパルスが検出されるかどうかを調べる。ここで、一定の周期でのゼロクロス信号（ＺＥＲＯ）のパルスが検出される場合、処理はステップＳ１４に進み、画像形成装置１００は正常動作する。その後、処理はステップＳ１３に戻り、ゼロクロス信号の監視を続行する。
【００４２】
これに対して、一定の周期でのゼロクロス信号（ＺＥＲＯ）のパルスが検出されない場合、処理はステップＳ１５に進む。ステップＳ１５では、静電センサ２０４からの検知信号（ＯＦＦＤＥＴ）を検出したかどうかを調べる。ここで、検知信号（ＯＦＦＤＥＴ）を検出しない場合、処理はステップＳ１６に進む。この場合、ゼロクロス信号のパルスは検出されず、検知信号（ＯＦＦＤＥＴ）を検出されていないので、ステップＳ１６では、この状態は瞬断と判断し、その後、処理はＳ１４に進む。この場合は、バックアップ電源によるサポートにより装置は正常動作が可能である。
【００４３】
これに対して、検知信号（ＯＦＦＤＥＴ）を検出した場合、処理はステップＳ１７に進む。この場合、ゼロクロス信号のパルスは検出されず（信号はローレベル）、検知信号（ＯＦＦＤＥＴ）は検出されているので、ユーザの関与の可能性がある。図５のｔ＝ｔ３では、そのような状態を図示している。
【００４４】
従って、ステップＳ１７では、ｔ＝ｔ３を起点として短い所定時間Ｔの間に、静電センサ２０５からの検知信号（ＯＮＤＥＴ）が検出されるかどうかを調べる。ここで、検知信号（ＯＮＤＥＴ）を検出した場合、処理はステップＳ１８に進む。この場合、ゼロクロス信号のパルスは検出され、検知信号（ＯＦＦＤＥＴ）を検出され、その後、短い時間の間に検知信号（ＯＮＤＥＴ）が検出されたので、ユーザが短期間で電源スイッチ２０２をＯＦＦ／ＯＮしたと判断する。図５のｔ＝ｔ４は、そのような状態を図示している。
【００４５】
従って、ステップＳ１８では、装置を再起動する。このとき、論理回路２０６は制御部２０７に対して再起動指令信号（ＲＥＳＴＡＲＴ）を出力し、制御部２０７はその信号に従って装置を再起動する。その後、処理はステップＳ１３に戻り、ゼロクロス信号の監視を続行する。図５のｔ＝ｔ５は、そのような状態を図示している。
【００４６】
これに対して、ｔ＝ｔ３を起点として短い所定時間Ｔの間に、静電センサ２０５からの検知信号（ＯＮＤＥＴ）が検出されなかった場合、処理はステップＳ１９に進む。この場合、ゼロクロス信号のパルスは検出され、検知信号（ＯＦＦＤＥＴ）を検出され、さらに所定の期間以上、検知信号（ＯＮＤＥＴ）が検出されないので、ユーザが電源スイッチ２０２をＯＦＦしたと判断する。その場合は、装置はシャットダウンプロセスに入り、装置の動作を所定のシーケンスに従って停止する。図６は、そのような状態を図示している。この場合、論理回路２０６は再起動指令信号（ＲＥＳＴＡＲＴ）を生成することもない。
【００４７】
以上説明した各信号の検出状態と装置の動作をまとめると以下の表のようになる
［表１］
・−−−−−−−−・−−−−−・−−−−−・−−−−−・−−−−−・
｜  ＺＥＲＯ      ｜  未検出  ｜  未検出  ｜  未検出  ｜  検出    ｜
・−−−−−−−−・−−−−−・−−−−−・−−−−−・−−−−−・
｜  ＯＦＦＤＥＴ  ｜  検出    ｜  検出    ｜  未検出  ｜    −    ｜
・−−−−−−−−・−−−−−・−−−−−・−−−−−・−−−−−・
｜  ＯＮＤＥＴ    ｜  検出    ｜  未検出  ｜    −    ｜    −    ｜
・−−−−−−−−・−−−−−・−−−−−・−−−−−・−−−−−・
｜ＲＥＳＴＡＲＴ  ｜  出力    ｜  出力せず｜    −    ｜    −    ｜
・−−−−−−−−・−−−−−・−−−−−・−−−−−・−−−−−・
｜    判断        ｜ユーザ操作｜  停止指示｜  瞬断    ｜  正常    ｜
・−−−−−−−−・−−−−−・−−−−−・−−−−−・−−−−−・
｜    装置動作    ｜  再起動  ｜  停止    ｜  続行    ｜正常動作  ｜
・−−−−−−−−・−−−−−・−−−−−・−−−−−・−−−−−・
【００４８】
従って以上説明した実施例に従えば、ユーザが素早く電源スイッチをオフ／オンした際には、装置をリセットして適切に再起動させることができる。
【００４９】
なお、以上説明した例では２つの静電センサを用いたが、本発明はこれによって限定されるものではない。例えば、静電センサ２０５を用いるのではなく、ＡＣ電源の交流電圧（ＡＣＩＮ）を監視するように構成しても良い。
【００５０】
図７に示すように、検知信号（ＯＮＤＥＴ）を用いなくとも、ＡＣ電源の交流電圧（ＡＣＩＮ）を監視し、検知信号（ＯＦＦＤＥＴ）を検出されている状態で、所定の時間内にＡＣＩＮが検出されたなら、再起動指令信号（ＲＥＳＴＡＲＴ）を出力しても良い。このようにして、ユーザが意図的に電源スイッチを操作したと判断することが可能である。この場合、ＡＣ電源の交流電圧（ＡＣＩＮ）を監視し、その電圧を検出する回路が静電センサ２０５と同様の役割を果たし、電源スイッチがオンされたとみなすことができる。
【００５１】
なお、図７において、上記以外の事項は図５〜図６に関して説明したのと同様なので、その説明は省略する。
【００５２】
さらに、以上説明した実施例では、画像形成装置（プリンタ）を例として説明したが、本発明はこれによって限定されるものではない。例えば、スキャナなどの画像原稿の読み取り機能を備えた多機能プリンタ装置（ＭＦＰ）、また、通信機能を備えたファクシミリ装置、ネットワークを接続可能なネットワークプリンタなどの電子機器に本発明を適用してもよい。
【符号の説明】
【００５３】
１００  画像形成装置（プリンタ）、２０１  電源プラグ、２０２  電源スイッチ、
２０３  ゼロクロス回路、２０４〜２０５  静電センサ、２０６  論理回路、
２０７  制御部、２０８  フィルタ、２０９  リレー、２１０  ヒータドライブ回路、
２１１  ヒータ 
【図１】
2016024609.tif 000003
【図２】
2016024609.tif 000004
【図３】
2016024609.tif 000005
【図４】
2016024609.tif 000006
【図５】
2016024609.tif 000007
【図６】
2016024609.tif 000008
【図７】
2016024609.tif 000009